(57)【要約】      （修正有）【課題】手でより掴み易い乗客コンベアの手摺りベルトを提供する。【解決手段】Ｃ字型の手摺りベルト３８の下方に向いた表面の両端部には、第１溝３８１を長手方向に設け、前記第１溝３８１と前記下方に向いた表面との境界部分は曲面形状に形成し、前記手摺りベルト３８の上方に向いた表面の中央から外側にずれた位置には、第２溝３８２を長手方向に設け、前記第２溝３８２と前記上方に向いた表面との境界部分は曲面形状に形成する。大人が踏段上に立って前記手摺りベルト３８を手で掴む場合には、前記第１溝３８１に指を掛けることにより、前記手摺りベルト３８をしっかり掴むことができ、一方、手が小さい子供は、前記第２溝３８２に指を掛けることにより、前記手摺りベルト３８を手でしっかり掴むことができる。【選択図】図２
2016104661.tif 000002
【特許請求の範囲】
【請求項１】
乗客コンベアに用いられる無端状の手摺りベルトであって、
前記手摺りベルトの縦断面がＣ字型であり、
前記手摺りベルトの表面の両端部に指をかけるための第１溝が長手方向にそれぞれ設けられている、
ことを特徴とする手摺りベルト。
【請求項２】
前記手摺りベルトの表面の中央より外側に指をかけるための第２溝が長手方向に設けられている、
請求項１に記載の手摺りベルト。
【請求項３】
前記表面と前記第１溝との境界部分が曲面形状である、
請求項１に記載の手摺りベルト。
【請求項４】
前記表面と前記第２溝との境界部分が曲面形状である、
請求項３に記載の手摺りベルト。
【請求項５】
前記手摺りベルトの幅方向の寸法に関して、前記手摺りベルトの基準幅より狭い部分が所定間隔毎に形成されている。
請求項１に記載の手摺りベルト。
【請求項６】
前記手摺りベルトの両側部の平面形状が正弦波状又は波形である、
請求項５に記載の手摺りベルト。
【請求項７】
前記手摺りベルトの平面形状が、左右対称である、
請求項６に記載の手摺りベルト。
【請求項８】
無端状に連結されて移動する複数の踏段と、
前記踏段の左右両側に立設された左右一対の欄干と、
前記欄干の上部に沿って、前記踏段と同期して移動する請求項１に記載の手摺りベルトと、
を有する乗客コンベア。
【請求項９】
前記欄干の下方に設けられ、かつ、前記手摺りベルトの表面に当接された表駆動ロールと、
前記欄干の下方に設けられ、かつ、前記手摺りベルトの裏面に当接された裏駆動ロールと、
前記表駆動ロールと前記裏駆動ロールとで前記手摺りベルトを挟みながら回転させて、前記手摺りベルトを走行させる、
請求項８に記載の乗客コンベア。
【請求項１０】
前記乗客コンベアがエスカレータ、又は、動く歩道である。
請求項８に記載の乗客コンベア。
【発明の詳細な説明】
【技術分野】
【０００１】
本発明の実施形態は、手摺りベルトとそれを用いた乗客コンベアに関するものである。
【背景技術】
【０００２】
エスカレータや動く歩道などの乗客コンベアにおいては、欄干の上を手摺りベルトが走行し、この手摺りベルトは踏段と同期して移動している。乗客は安全のために、この手摺りベルトを手で掴んで、走行する踏段の上に立っている。
【先行技術文献】
【特許文献】
【０００３】
【特許文献１】実開昭６３−５６１７１号公報
【特許文献２】実開平５−４４９７８号公報
【発明の概要】
【発明が解決しようとする課題】
【０００４】
上記のように乗客が手摺りベルトを手で掴んでいても、手摺りベルトの縦断面形状がＣ型であるため手が滑り易く、手摺りベルトが必ずしも掴み易い形状となっていないという問題点があった。特に子供などのように小さい手であると、手摺りベルトを余計に掴みにくいという問題点があった。
【０００５】
そこで本発明の実施形態は、上記問題点に鑑み、より掴み易い手摺りベルト及びそれを用いた乗客コンベアを提供することを目的とする。
【課題を解決するための手段】
【０００６】
本発明の実施形態は、乗客コンベアに用いられる無端状の手摺りベルトであって、
前記手摺りベルトの縦断面がＣ字型であり、前記手摺りベルトの表面の両端部に指をかけるための第１溝が長手方向にそれぞれ設けられている、ことを特徴とする手摺りベルトである。
【図面の簡単な説明】
【０００７】
【図１】実施形態１のエスカレータの側面図。
【図２】実施形態１の手摺りレールを走行する手摺りベルトの縦断面図。
【図３】実施形態１の表駆動ロールと裏駆動ロールの間に挟まれて走行する手摺りベルトの縦断面図。
【図４】実施形態１の手摺りベルトの平面図。
【図５】実施形態２の手摺りレールを走行する手摺りベルトの縦断面図。
【図６】実施形態２の表駆動ロールと裏駆動ロールの間に挟まれて走行する手摺りベルトの縦断面図。
【図７】実施形態２の手摺りベルトの平面図。
【発明を実施するための形態】
【０００８】
以下、本発明の一実施形態のエスカレータ１０を図面に基づいて説明する。
【実施形態１】
【０００９】
実施形態１のエスカレータ１０に関して図１〜図４に基づいて説明する。
【００１０】
（１）エスカレータ１０
エスカレータ１０の構造について、図１〜図３に基づいて説明する。図１はエスカレータ１０を側面から見た説明図である。
【００１１】
図１に示すように、エスカレータ１０のトラス１２が、建屋１の上階と下階に跨がって支持アングル２，３を用いて支持されている。トラス１２の上端部にある上階側の機械室１４内部には、駆動装置１８が設けられている。この駆動装置１８は、誘導電動機（インダクションモータ）よりなるモータ２０と、このモータ２０により動作する駆動チェーン２２を有し、この駆動チェーン２２により駆動スプロケット２４が回転する。上階側の機械室１４内部には、制御ボックス５０が設けられている。
【００１２】
トラス１２の下端部にある下階側の機械室１６内部には、従動スプロケット２６が設けられ、駆動スプロケット２４と従動スプロケット２６との間に左右一対の無端の踏段チェーン２８，２８が掛け渡され、左右一対の踏段チェーン２８，２８には複数の踏段（「ステップ」とも呼ぶ）３０が等間隔で取り付けられ、踏段３０の車輪３０１が案内レール２３を走行し、車輪３０２が案内レール２５を走行する。
【００１３】
トラス１２の左右両側には、左右一対の欄干３６，３６が立設されている。図２に示すように、欄干３６の上端にはベルトレール６０が設けられ、ベルトレール６０を無端状の手摺りベルト３８が踏段３０と同期して移動する。また、図１と図３に示すように、欄干３６の下方には、手摺りベルト３８を駆動させるための複数組の表駆動ロール６２と裏駆動ロール６４が手摺りベルト３８の走行路に沿って設けられている。手摺りベルト３８については、後から詳しく説明する。
【００１４】
欄干３６の上階側の正面下部には上階側の正面スカートガード４０が設けられ、下階側の正面下部には下階側の正面スカートガード４２が設けられ、正面スカートガード４０，４２から、手摺りベルト３８の出入口であるインレット部４６，４８が突出している。欄干３６の側面下部には、スカートガード４４が設けられている。スカートガード４４の内側面には、操作盤５２，５６、スピーカ５４，５８が上下階にそれぞれ設けられている。
【００１５】
上階側の機械室１４の天井面の乗降口には上階側の乗降板３２が設けられ、乗降板３２の先端にはコムが設けられ、下階側の機械室１６の天井面の乗降口には下階側の乗降板３４が設けられ、乗降板３４の先端にはコムが設けられている。
【００１６】
（２）手摺りベルト３８
次に、手摺りベルト３８について図２〜図４に基づいて詳しく説明する。
【００１７】
図２に示すように、手摺りベルト３８は、その幅が例えば７０ｍｍ〜１００ｍｍであり、ゴムなどの素材により形成され、縦断面形状がＣ字型に形成され、開口部分が下方を向いている。なお、この手摺りベルト３８内部には、長手方向に沿って不図示の芯材が内蔵されている。Ｃ字型の手摺りベルト３８の裏面には、上記で説明したベルトレール６０が配置されている。ベルトレール６０は、欄干３６の上端部に固定され、Ｔ字状に形成されている。手摺りベルト３８は、ベルトレール６０を覆うようにしつつ、安定して水平方向に走行する。
【００１８】
Ｃ字型の手摺りベルト３８の下方に向いた表面の両端部には、図２に示すように、第１溝３８１，３８１が長手方向に設けられている。第１溝３８１と表面との境界部分は曲面形状に形成されている。
【００１９】
Ｃ字型の手摺りベルト３８の上方に向いた表面の中央から外側にずれた位置には、図３と図４に示すように、第２溝３８２が長手方向に設けられている。第２溝３８２と表面との境界部分も曲面形状に形成されている。第２溝３８２は、踏段３０の右側の欄干３６に設けられた手摺りベルト３８であると中央よりもやや右側に設けられ、踏段３０の左側の欄干３６に設けられた手摺りベルト３８であると中央よりもやや左側に設けられている。
【００２０】
Ｃ字型の手摺りベルト３８がインレット部４６，４８から欄干３６の下方に侵入して走行するときは、図３に示すように、欄干３６の上方を走行しているときとは上下反対の姿勢で走行する。そのため、欄干３６の下方に設けられた複数組の表駆動ロール６２と裏駆動ロール６４に挟まれるときは、Ｃ字型の手摺りベルト３８は、表面が下に位置する表駆動ロール６２に押圧され、裏面が上に位置する裏駆動ロール６４に押圧される。そして、上下一対の表駆動ロール６２と裏駆動ロール６４が同時に回転することによって、手摺りベルト３８が一方向に走行する。なお、複数組の表駆動ロール６２と裏駆動ロール６４とは、不図示の手摺りベルトチェーンによって駆動スプロケット２４と連結され、駆動スプロケット２４が回転することにより、この手摺りベルトチェーンが移動し、表駆動ロール６２と裏駆動ロール６４とを、踏段３０と同期させて回転させることができる。
【００２１】
（３）効果
上記実施形態のエスカレータ１０において、大人が踏段３０の上に立って手摺りベルト３８を手で掴む場合には、第１溝３８１に指を掛けることにより、手摺りベルト３８をしっかり掴むことができる。
【００２２】
また、手が小さい子供は、第２溝３８２に指を掛けることにより、手摺りベルト３８を手でしっかり掴むことができる。
【００２３】
また、手摺りベルト３８に第１溝３８１と第２溝３８２を設けても、図３に示すように表駆動ロール６２が確実に表面を押圧でき、裏駆動ロール６４も確実に裏面を押圧できるので、手摺りベルト３８を確実に走行させることができる。
【実施形態２】
【００２４】
次に、実施形態２のエスカレータ１０について図５〜図７に基づいて説明する。
【００２５】
本実施形態の手摺りベルト３８と実施形態１の手摺りベルト３８の共通点は、手摺りベルト３８の両端部に左右一対の第１溝３８１，３８１が設けられている点にある。また、相違点としては、本実施形態では第２溝３８２がなく、その代わりに図７に示すように、手摺りベルト３８の平面形状の両側部が、左右対称に正弦波形状又は波形に形成されている。これにより、手摺りベルト３８の幅方向の寸法が、基準幅Ｌ１（例えば、Ｌ１＝１００ｍｍ）より、狭い幅Ｌ２（例えば、Ｌ２＝７０ｍｍ）が形成され、かつ、この狭い幅Ｌ２は所定間隔毎に形成されることになる。
【００２６】
本実施形態であると、大人の乗客は、実施形態１と同様に第１溝３８１に指を掛けることにより、手摺りベルト３８を手でしっかり掴むことができる。
【００２７】
また、手の小さな子供は、幅が狭くなった部分に手を置き、第１溝３８１に指を掛けることにより、手摺りベルト３８を手でしっかり掴むことができる。さらに、平面形状の両側部が、左右対称に正弦波形状又は波形の曲線であるため、手になじみやすい。
【変更例】
【００２８】
実施形態１では、手摺りベルト３８に第１溝３８１と第２溝３８２を設け、実施形態２では第１溝３８１と、手摺りベルト３８の幅の一部を狭くしたが、これに代えて、手摺りベルト３８に第１溝３８１と第２溝３８２を設け、さらに手摺りベルト３８の幅の一部を狭くするように形成してもよい。
【００２９】
上記実施形態では、エスカレータ１０の踏段３０に適応して説明したが、これに代えて動く歩道のステップ（踏段）に適応してもよい。
【００３０】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３１】
１０・・・エスカレータ、３０・・・踏段、３６・・・欄干、３８・・・手摺りベルト、６０・・・ベルトレール、６２・・・表駆動ロール、６４・・・裏駆動ロール、３８１・・・第１溝、３８２・・・第２溝
【図１】
2016104661.tif 000003
【図２】
2016104661.tif 000004
【図３】
2016104661.tif 000005
【図４】
2016104661.tif 000006
【図５】
2016104661.tif 000007
【図６】
2016104661.tif 000008
【図７】
2016104661.tif 000009
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
乗客コンベアに用いられる無端状の手摺りベルトであって、
前記手摺りベルトの縦断面がＣ字型であり、
前記手摺りベルトの表面が上方に向いた状態において、前記表面の両端部より内側であって、かつ、前記表面の中央より外側に、指をかけるための溝が長手方向に設けられている、
ことを特徴とする手摺りベルト。
【請求項２】
前記手摺りベルトの表面の両端部に指をかけるための第１溝が長手方向にそれぞれ設けられている、
請求項１に記載の手摺りベルト。
【請求項３】
前記表面と前記第１溝との境界部分が曲面形状である、
請求項２に記載の手摺りベルト。
【請求項４】
前記表面と、前記表面の中央より外側に設けられた前記溝との境界部分が曲面形状である、
請求項１に記載の手摺りベルト。
【請求項５】
前記手摺りベルトの幅方向の寸法に関して、前記手摺りベルトの基準幅より狭い部分が所定間隔毎に形成されている。
請求項１に記載の手摺りベルト。
【請求項６】
前記手摺りベルトの両側部の平面形状が正弦波状又は波形である、
請求項５に記載の手摺りベルト。
【請求項７】
前記手摺りベルトの平面形状が、左右対称である、
請求項６に記載の手摺りベルト。
【請求項８】
無端状に連結されて移動する複数の踏段と、
前記踏段の左右両側に立設された左右一対の欄干と、
前記欄干の上部に沿って、前記踏段と同期して移動する請求項１に記載の手摺りベルトと、
を有する乗客コンベア。
【請求項９】
前記欄干の下方に設けられ、かつ、前記手摺りベルトの表面に当接された表駆動ロールと、
前記欄干の下方に設けられ、かつ、前記手摺りベルトの裏面に当接された裏駆動ロールと、
前記表駆動ロールと前記裏駆動ロールとで前記手摺りベルトを挟みながら回転させて、前記手摺りベルトを走行させる、
請求項８に記載の乗客コンベア。
【請求項１０】
前記乗客コンベアがエスカレータ、又は、動く歩道である。
請求項８に記載の乗客コンベア。
【手続補正２】
【補正対象書類名】明細書
【補正対象項目名】０００６
【補正方法】変更
【補正の内容】
【０００６】
本発明の実施形態は、乗客コンベアに用いられる無端状の手摺りベルトであって、前記手摺りベルトの縦断面がＣ字型であり、前記手摺りベルトの表面が上方に向いた状態において、前記表面の両端部より内側であって、かつ、前記表面の中央より外側に、指をかけるための溝が長手方向に設けられている、ことを特徴とする手摺りベルトである。